(57)【要約】  電源コネクタおよび電源線において、前記電源コネクタはコネクタ本体を備え、コネクタ本体にジャックが設けられ、ジャック内に接片が設けられ、少なくとも１つのジャック内に自己ロックモジュールが設けられ、自己ロックモジュールは係止片を備え、係止片に貫通孔が設けられ、貫通孔の先端に面取りが設けられ、コネクタ本体に、係止片を支持するためのステージが設けられ、係止片の一側に第１牽引板が設けられ、コネクタ本体のジャックに位置する側にキャビティが設けられ、第１牽引板がキャビティ内に設けられ、第１牽引板が係止片の一端に連結され、キャビティ内に、更にばねが設けられ、ばねの伸縮方向は前記ジャックの軸線方向と同じであり、ばねの第１端が第１牽引板に連結され、ばねの第２端がコネクタ本体に連結され、ステージに、傾斜状となるストッパバリアが設けられ、第１牽引板に第２牽引板が連結され、第２牽引板の一部がコネクタ本体の外側に設けられる。【選択図】  図１
2019526905.tif 000002
【特許請求の範囲】
【請求項１】
コネクタ本体を備える電源コネクタであって、
前記コネクタ本体にジャックが設けられ、前記ジャック内に接片（８）が設けられ、少なくとも１つの前記ジャック内に自己ロックモジュールが設けられ、
前記自己ロックモジュールは係止片（４）を備え、前記係止片（４）に貫通孔（４０１）が設けられ、前記貫通孔（４０１）の先端に面取り（４０２）が設けられ、前記コネクタ本体に、前記係止片（４）を支持するためのステージ（３０１）が設けられ、前記係止片（４）の一側に第１牽引板（５）が設けられ、前記コネクタ本体の前記ジャックに位置する側に、キャビティが設けられ、前記第１牽引板（５）が前記キャビティ内に設けられ、前記第１牽引板（５）が前記係止片（４）の一端に連結され、
前記キャビティ内に、更にばね（７）が設けられ、前記ばね（７）の伸縮方向が前記ジャックの軸線方向と同じであり、前記ばね（７）の第１端が前記第１牽引板（５）に連結され、前記ばね（７）の第２端が前記コネクタ本体に連結され、前記ステージ（３０１）に、傾斜状となるストッパバリア（３０２）が設けられ、
前記第１牽引板（５）に第２牽引板（６）が連結され、前記第２牽引板（６）の一部が前記コネクタ本体の外側に設けられる、
電源コネクタ。
【請求項２】
前記コネクタ本体はハウジングおよびインナースリーブ（３）を備え、前記ハウジングはリアカバー（２）を備え、前記リアカバー（２）の端部にパネル（１）が設けられ、前記ジャックが前記インナースリーブ（３）および前記パネル（１）に設けられ、
前記ステージ（３０１）が前記インナースリーブ（３）の頂部に設けられ、前記インナースリーブ（３）と前記リアカバー（２）の間で前記キャビティが囲まれ、前記ばね（７）の前記第１牽引板（５）から離れた端が前記リアカバー（２）に接続され、前記第２牽引板（６）の一部が前記リアカバー（２）の外側に設けられる、請求項１に記載の電源コネクタ。
【請求項３】
前記インナースリーブ（３）および前記パネル（１）に、いずれも２つの側端ジャックおよび１つの中間ジャックからなる３つの前記ジャックが設けられ、２つの前記側端ジャック内の前記接片（８）に、それぞれ中性線と送電線が接続され、前記中間ジャック内の前記接片がグランド線に接続され、
前記自己ロックモジュールが前記中間ジャックに設けられる、
請求項２に記載の電源コネクタ。
【請求項４】
前記インナースリーブ（３）の頂部に前記ステージ（３０１）が設けられ、前記ステージ（３０１）に、パネル（１）に向かって延伸し、２枚の側壁および１枚の前壁からなる３つの壁板が接続され、前記ストッパバリア（３０２）が前記前壁に設けられる、
請求項２に記載の電源コネクタ。
【請求項５】
前記係止片（４）は矩形となり、前記貫通孔（４０１）が前記係止片（４）の中央部に設けられ、前記係止片（４）の末端が前記ストッパバリア（３０２）の下方に位置し、前記係止片（４）は第１側辺および第２側辺を備え、前記第１側辺は、前記第２側辺を軸心として前記ストッパバリア（３０２）の先端に向かって周回し、前記第１牽引板（５）が前記第１側辺に連結される、
請求項２に記載の電源コネクタ。
【請求項６】
前記第１牽引板（５）の先端に駆動板（５０１）が設けられ、前記駆動板（５０１）が前記第１側辺に連結され、前記駆動板（５０１）の底部が前記ばね（７）に連結され、前記第１牽引板（５）の底部に第１フック（５０２）が設けられ、前記第１フック（５０２）が前記第１牽引板（５）に連結される、
請求項５に記載の電源コネクタ。
【請求項７】
前記第２牽引板（６）は、ケーブルを嵌着するためのスリーブ（６０１）を備え、前記スリーブ（６０１）の内壁に第２フック（６０２）が設けられ、前記第２フック（６０２）が前記スリーブ（６０１）の端部に設けられ、前記第２フック（６０２）が前記第１フック（５０２）に連結される、
請求項６に記載の電源コネクタ
【請求項８】
電源線本体（１０）と、請求項１から７のいずれか１項に記載の電源コネクタとを備える電源線であって、前記電源線本体（１０）の一端に前記電源コネクタが接続される、電源線。
【発明の詳細な説明】
【技術分野】
【０００１】
本開示は、電源線の技術分野に関し、例えば、電源コネクタおよび電源線に関する。
【背景技術】
【０００２】
電源線は、給電用の接続線であり、電源コネクタを備える。電源コネクタにジャックが設けられ、ジャック内に接片が設けられ、電気機器（例えば、ホスト、ディスプレイ等）の電源端子がジャック内に差し込まれて接片と接触することで、電流を流して給電される。
【０００３】
しかし、関連技術における電源線コネクタは、構造が簡単で、操作時に挿抜動作のみで電源端子を電源コネクタから抜き出す可能となり、誤操作される可能性があり、安全性が低い。
【発明の概要】
【課題を解決するための手段】
【０００４】
コネクタ本体を備える電源コネクタにおいて、前記コネクタ本体にジャックが設けられ、前記ジャック内に接片が設けられ、少なくとも１つの前記ジャック内に自己ロックモジュールが設けられ、
前記自己ロックモジュールは係止片を備え、前記係止片に貫通孔が設けられ、前記貫通孔の先端に面取りが設けられ、前記コネクタ本体に、前記係止片を支持するためのステージが設けられ、前記係止片の一側に第１牽引板が設けられ、前記コネクタ本体の前記ジャックに位置する側に、キャビティが設けられ、前記第１牽引板が前記キャビティ内に設けられ、前記第１牽引板が前記係止片の一端に連結され、
前記キャビティに、更にばねが設けられ、前記ばねの伸縮方向が前記ジャックの軸線方向と同じであり、前記ばねの第１端が前記第１牽引板に連結され、前記ばねの第２端が前記コネクタ本体に連結され、前記ステージに、傾斜状となるストッパバリアが設けられ、
前記第１牽引板に第２牽引板が連結され、前記第２牽引板の一部が前記コネクタ本体の外側に設けられる。
【０００５】
好ましくは、前記コネクタ本体はハウジングおよびインナースリーブを備え、前記ハウジングはリアカバーを備え、前記リアカバーの端部にパネルが設けられ、前記ジャックが前記インナースリーブおよび前記パネルに設けられ、
前記ステージが前記インナースリーブの頂部に設けられ、前記インナースリーブと前記リアカバーとの間で前記キャビティが囲まれ、前記ばねの前記第１牽引板から離れた端が前記リアカバーに連結され、前記第２牽引板の一部が前記リアカバーの外側に設けられる。
【０００６】
好ましくは、前記インナースリーブおよび前記パネルに、いずれも２つの側端ジャックおよび１つの中間ジャックからなる３つ前記ジャックが設けられ、２つの前記側端ジャック内の前記接片に、それぞれ中性線と送電線が接続され、前記中間ジャック内の前記接片がグランド線に接続され、
前記自己ロックモジュールが前記中間ジャックに設けられる。
【０００７】
好ましくは、前記インナースリーブの頂部に前記ステージが設けられ、前記ステージに、パネルに向かって延伸し、２つの側壁および１つの前壁からなる３つの壁板が連結され、前記ストッパバリアが前記前壁に設けられる。
【０００８】
好ましくは、前記係止片は矩形となり、前記貫通孔が前記係止片の中央部に設けられ、前記係止片の末端が前記ストッパバリアの下方に位置し、前記係止片は第１側辺および第２側辺を備え、前記第１側辺は、前記第２側辺を軸心として前記ストッパバリアの先端に向かって周回し、前記第１牽引板が前記第１側辺に連結される。
【０００９】
好ましくは、前記第１牽引板の先端に駆動板が設けられ、前記駆動板が前記第１側辺に連結され、前記駆動板の底部が前記ばねに連結され、前記第１牽引板の底部に第１フックが設けられ、前記第１フックが前記第１牽引板に連結される。
【００１０】
好ましくは、前記第２牽引板は、ケーブルを嵌着するためのスリーブを備え、前記スリーブの内壁に第２フックが設けられ、前記第２フックが前記スリーブの端部に設けられ、前記第２フックが前記第１フックに連結される。
【００１１】
電源線本体を備える電源線において、前記電源線本体の一端にいずれかの上記電源コネクタが接続される。
【発明の効果】
【００１２】
上記内容に係る電源コネクタおよび電源線は、端子が係止片内に差し込まれていない場合、係止片の一端がばねの作用で傾斜状となり、端子が係止片内に差し込まれると、端子が貫通孔の面取りと合わせて係止片を押し下げ、係止片が水平状態に押し下げられる。電源コネクタから端子を抜き出すと、すなわち、端子が電源コネクタから外へ抜き出されると、係止片はばねの作用で傾斜状となり、係止片は、端子が抜き出されないように端子を締付け、端子に抵抗力を与え、すなわち、自己ロックが行われた。ロック解除が必要な場合、第２牽引板を引くことができ、第２牽引板は第１牽引板を動かし、更にばねを押し戻し、係止片を水平状にさせる。この時、端子に対する係止片からの抵抗力がなくなり、端子をスムーズに抜き出すことができる。
【００１３】
該電源コネクタおよび電源線では、端子が電源コネクタ内に差し込まれると、電源コネクタは、電源コネクタが簡単に抜き出されることができないように端子をロックすることができ、電源コネクタは、自己ロック機能を有し、操作が簡単で迅速であり、誤操作または端子が電源コネクタから自己脱落する等の現象を回避し、対応する機器の正常な動作を確保することができ、且つ、感電事故の発生を回避することができ、安全性が高い。
【図面の簡単な説明】
【００１４】
【図１】一実施例に係る電源コネクタの分解模式図である。
【図２】一実施例に係る電源コネクタの自己ロック状態の縦断面図である。
【図３】一実施例に係る電源コネクタの自己ロック状態の横断面図である。
【図４】一実施例に係る電源コネクタのロック解除状態の縦断面図である。
【図５】一実施例に係る電源コネクタのロック解除状態の横断面図である。
【図６】一実施例に係る電源コネクタのインナースリーブの構造模式図である。
【図７】一実施例に係る電源コネクタの係止片の構造模式図である。
【図８】一実施例に係る電源コネクタの第１牽引板の構造模式図である。
【図９】一実施例に係る電源コネクタの第２牽引板の構造模式図である。
【発明を実施するための形態】
【００１５】
以下、図面および具体的な実施形態を参照しながら、以下の実施例の技術案について説明する。
【００１６】
図１から図９に示すように、自己ロック機能を有する電源コネクタにおいて、コネクタ本体を備え、コネクタ本体にジャックが設けられ、ジャック内に接片８が設けられ、少なくとも１つのジャック内に自己ロックモジュールが設けられる。
【００１７】
自己ロックモジュールは係止片４を備え、係止片４に、端子９が貫通するための貫通孔４０１が設けられ、貫通孔４０１の先端に、端子９と合わせる面取り４０２が設けられ、コネクタ本体に、係止片４を支持するためのステージ３０１が設けられ、係止片４の一側に第１牽引板５が設けられ、コネクタ本体のジャックに位置する側にキャビティが設けられ、第１牽引板５がキャビティ内に設けられ、第１牽引板５が係止片４の一端に連結される。
【００１８】
キャビティ内に、更にばね７が設けられ、ばね７の伸縮方向がジャックの軸線方向と同じであり、ばね７は、第１端が第１牽引板５に連結され、第２端がコネクタ本体に連結され、ステージ３０１に傾斜状となるストッパバリア３０２が設けられる。
【００１９】
第１牽引板５に第２牽引板６が連結され、第２牽引板６の一部がコネクタ本体の外側に設けられる。
【００２０】
電源コネクタを使用する時に、電源コネクタと端子９とを直接分離することができず、係止片４がばね７の作用で傾斜状態となるため、端子９を抜き出す時に、係止片４は端子９に抵抗力を付与し、端子９を電源コネクタから抜き出すことができなくなり、電源コネクタの自己ロック機能を実現する。
【００２１】
コネクタ本体は、ハウジングおよびインナースリーブ３を更に備えてもよい。ここで、ハウジングはリアカバー２を備え、リアカバー２の端部にパネル１が設けられ、ジャックがインナースリーブ３およびパネル１に設けられる。
【００２２】
ステージ３０１がインナースリーブ３の頂部に設けられ、インナースリーブ３とリアカバー２との間でキャビティが囲まれ、ばね７の第１牽引板５から離れた端がリアカバー２に連結され、第２牽引板６の一部がリアカバー２の外側に設けられる。
【００２３】
コネクタ本体は、複数の構造を備えてもよい。コネクタ本体は、パネル１、リアカバー２およびインナースリーブ３を備えてもよい。パネル１、リアカバー２およびインナースリーブ３は、対応するジャックおよびキャビティ等を形成してもよい。このように別体に構成されることで、着脱しやすく、生産製造および後期のメンテナンスがしやすくなる。
【００２４】
インナースリーブ３およびパネル１に、いずれも３つのジャックが設けられてもよく、前記３つのジャックは、２つの側端ジャックおよび１つの中間ジャックを含んでもよく、２つの側端ジャック内の接片８に、それぞれ中性線と送電線が接続されてもよく、中間ジャック内の接片８がグランド線に接続されてもよい。
【００２５】
自己ロックモジュールは、中間ジャックに設けられてもよい。
【００２６】
自己ロックモジュールを中間ジャックに設けてもよく、すなわち、自己ロック時にグランド端子９がロックされる。自己ロックモジュールが中間位置に設けられると、十分な取り付け空間を有することができ、組み立てやすく、生産製造のプロセスが簡単で、製造効率が高い。
【００２７】
好ましくは、インナースリーブ３の頂部にステージ３０１が設けられ、ステージ３０１に、パネル１に向かって延伸し、２枚の側壁および１枚の前壁からなる３つの壁板が連結されてもよく、ストッパバリア３０２が前壁に設けられてもよい。
【００２８】
インナースリーブ３の頂部に、係止片４を配置するためのステージ３０１が設けられてもよく、係止片４を取り付ける時に、係止片４がステージ３０１に配置できる。ステージ３０１の一端のフロントアームに下位バリアが設けられてもよく、係止片４が水平状態から傾斜状態に切り替わると、係止片４およびストッパバリア３０２の傾斜面は、互いに平行である。
【００２９】
好ましくは、係止片４は矩形となり、貫通孔４０１が係止片４の中央部に設けられ、係止片４の末端がストッパバリア３０２の下方に位置し、係止片４は第１側辺および第２側辺を備え、第１側辺は、第２側辺を軸心としてストッパバリア３０２の先端に向かって周回し、第１牽引板５が第１側辺に連結される。
【００３０】
係止片４における貫通孔４０１は端子９と合わせる。係止片４が傾斜状態となる場合、端子９を貫通孔４０１内に差し込むと、端子９は貫通孔４０１の頂部の面取り４０２に作用し、端子９は係止片４に対して一定の圧力を付与する。端子９は、差し込まれて係止片４を押圧して徐々に水平にする。電源コネクタが自己ロック状態にあると、係止片４はリセットして傾斜状となり、係止片４は端子９に力を施す。
【００３１】
係止片４が動くと、係止片４の末端はストッパ作用を果たし、第１側辺が第１牽引板５に連結され、第１側辺は第２側辺を軸線として昇降する。
【００３２】
好ましくは、第１牽引板５の先端に駆動板５０１が設けられ、駆動板５０１が第１側辺に連結され、駆動板５０１の底部がばね７に連結され、第１牽引板５の底部に第１フック５０２が設けられ、第１フック５０２が第１牽引板５に連結される。
【００３３】
好ましくは、駆動板５０１に凹溝が設けられ、第１側辺が凹溝内に設けられ、駆動板５０１は９０°の曲がりを有する構造であってもよい。
【００３４】
好ましくは、第２牽引板６は、ケーブルを嵌着するためのスリーブ６０１を備え、スリーブ６０１の内壁に第２フック６０２が設けられ、第２フック６０２がスリーブ６０１の端部に設けられ、第２フック６０２が第１フック５０２に連結される。
【００３５】
好ましくは、第２牽引板６は筒状となり、第２牽引板６の前端に第２フック６０２が設けられ、第２フック６０２は、第１フック５０２に係合され、第２フック６０２の脱落を回避し、着脱しやすい。
【００３６】
電源コネクタは、自己ロック状態において、グランド端子９が差し込まれると、端子９は係止片４に作用力を付与し、端子９が貫通孔の底部に差し込まれると、端子９は係止片４を押圧して水平にし、端子９が接片８に接続されると、ばね７の作用で、係止片４はリセットして傾斜状態となり、電源コネクタから端子９を抜き出すと、係止片４は端子９に抵抗力を付与し、端子９は抜き出されられなくなる。
【００３７】
電源コネクタは、ロック解除状態において、第２牽引板６を引き下げ、第２牽引板６は第１牽引板５を動かし、第２牽引板６から第１牽引板５に付与する引っ張り力は、ばね７の弾性力と相殺し、係止片４は下へ移動して水平状態となる。この時に、係止片４は端子９に抵抗力を付与せず、端子９をスムーズに抜き出すことができる。
【００３８】
本実施例は、電源線本体１０と、上記いずれかの電源コネクタとを備える電源線を提供し、電源線本体１０の一端に上記自己ロック機能を有する電源コネクタが接続される。
【００３９】
電源線本体１０は、中性線、送電線およびグランド線を備え、３本の線はそれぞれ対応する接片８に接続され、第２牽引板６のスリーブ６０１が電源線本体１０に嵌着され、ロック解除時に、第２牽引板６は電源線の軸線方向に沿って移動することができる。
【産業上の利用可能性】
【００４０】
電源コネクタおよび電源線において、電源コネクタは自己ロック機能を有し、関連技術に存在する電源端子が電源コネクタから簡単に抜き出され可能による安全性の低い問題を解決する。
【符号の説明】
【００４１】
１        パネル
２        リアカバー
３        インナースリーブ
４        係止片
５        第１牽引板
６        第２牽引板
７        ばね
８        接片
９        端子
１０      電源線本体
３０１    ステージ
３０２    ストッパバリア
４０１    貫通孔
４０２    面取り
５０１    駆動板
５０２    第１フック
６０１    スリーブ
６０２    第２フック
【図１】
2019526905.tif 000003
【図２】
2019526905.tif 000004
【図３】
2019526905.tif 000005
【図４】
2019526905.tif 000006
【図５】
2019526905.tif 000007
【図６】
2019526905.tif 000008
【図７】
2019526905.tif 000009
【図８】
2019526905.tif 000010
【図９】
2019526905.tif 000011
【国際調査報告】
2019526905.tif 000012
2019526905.tif 000013
2019526905.tif 000014
2019526905.tif 000015
2019526905.tif 000016